(57)【特許請求の範囲】
【請求項１】
印字台上に載置された用紙の表面に沿ってプリントヘッドを待機位置から一往復移動させて印字すべき文字の上半分と下半分を印字するとともに、印字時に用紙を印字台に押圧固定するプリンタにおける用紙押え装置において、
一部が上記印字台上に張り出す板部材からなる用紙押えを上下動可能に配置し、かつ上記用紙押えを印字台に押しつけるように付勢し、上記印字台上の用紙を上記用紙押えに形成した開口部から露出させ、上記開口部から上記用紙にプリントヘッドにより印字するとともに、
上記用紙押えに係脱するカムを上記プリントヘッドを移動させるモータの正逆転に連動して正逆転するように設け、上記プリントヘッドが待機位置近傍にあるときに上記カムを上記用紙押えに係合させて該用紙押えを上記付勢に抗して上方に移動させ、上記プリントヘッドが待機位置に戻ると上記モータを停止して上記用紙の押しつけを解除した状態で停止し、上記プリントヘッドが往復移動するときには上記カムを上記用紙押えに係合しないようにした
ことを特徴とするプリンタにおける用紙押え装置。
【発明の詳細な説明】
【０００１】
【発明の属する技術分野】
本発明は、印字する際に用紙を固定するプリンタにおける用紙押え装置に関する。
【０００２】
【従来の技術】
従来、小切手や手形等の用紙に金額を印字するプリンタとしては、数字や￥やカンマ等の記号が周面に刻まれた印字輪を並設し、入力した金額に合わせて印字輪をそれぞれ回転して入力した金額を選択した後に選択した印字輪を一斉に打ち下ろして用紙上に印字するものが知られている。このプリンタでは機構部分が多く部品の点数が多いため、製造工程や製造コストの低減を図ることが難しい。１個の印字輪を移動させながら印字する方式のプリンタもあるが、問題は同じである。このため、印字輪をドットプリントヘッドに代え、このドットプリントヘッドを移動させながらフォントに合わせてドットピンを打ち出して印字させるプリンタが考えられている。
【０００３】
【発明が解決しようとする課題】
しかしながら、小切手や約束手形等の用紙に印字する時はドットピンが印字ヘッドから出没しながら印字ヘッドが移動するために、ドットピンが用紙に引っかかったり用紙の表面を擦ったりして用紙を移動させてしまい、用紙上に正しい位置で印字することができない印字ズレが発生する問題点があった。
【０００４】
本発明は上記問題点を解消し、印字時に用紙を印字台に固定して印字ズレを防止するプリンタにおける用紙押え装置を提供することをその課題とする。
【０００５】
【課題を解決するための手段】
前記課題を解決するため、本発明に係るプリンタにおける用紙押え装置は、印字台上に載置された用紙の表面に沿ってプリントヘッドを待機位置から一往復移動させて印字すべき文字の上半分と下半分を印字するとともに、印字時に用紙を印字台に押圧固定するプリンタにおける用紙押え装置において、一部が上記印字台上に張り出す板部材からなる用紙押えを上下動可能に配置し、かつ上記用紙押えを印字台に押しつけるように付勢し、上記印字台上の用紙を上記用紙押えに形成した開口部から露出させ、上記開口部から上記用紙にプリントヘッドにより印字するとともに、上記用紙押えに係脱するカムを上記プリントヘッドを移動させるモータの正逆転に連動して正逆転するように設け、上記プリントヘッドが待機位置近傍にあるときに上記カムを上記用紙押えに係合させて該用紙押えを上記付勢に抗して上方に移動させ、上記プリントヘッドが待機位置に戻ると上記モータを停止して上記用紙の押しつけを解除した状態で停止し、上記プリントヘッドが往復移動するときには上記カムを上記用紙押えに係合しないようにしたことを特徴とする。
【０００６】
【発明の実施の形態】
図１、図２は用紙押え装置を適用したプリンタを示し、このプリンタはキーボード１から金額を入力し、入力した金額をディスプレイ２で確認した後、発行キー３を押すことによりモータ４を駆動し、減速機構を介してベルト５を駆動し、このベルト５に固定された印字ヘッド６を移動させながら印字台７に載置した用紙８に金額を印字している。このプリンタはモータ４が停止時には待機位置（図２上に点線で表示）にあり、モータ４が正回転すると左方向に移動し、左端まで移動するとモータ４は逆回転して印字ヘッド６の進行方向を切り替えて右方向に移動し、待機位置まで移動するとモータ４が停止するように制御されている。このプリンタは印字ヘッド６の往路と復路とでその前後位置を変えて少ないドットで大きな文字を印字できるように設定されている。なお、図２において符号２３はプラスチック製のプラテンで、印字の際に小切手や約束手形等の用紙の裏面にエンボスを形成する断面がジグザグ状に形成されている。
【０００７】
用紙押え装置は、一部が上記印字台７上に張り出す用紙押え９を上下動可能に配置し、かつ上記押え部１０を印字台７に押しつけるようにバネ１４で付勢するとともに、上記プリントヘッド６を移動させるモータ４に連動してプリントヘッド６が待機位置に戻った時には上記用紙押え９を上記付勢に抗して上方に回動させる駆動手段Ａを設けたものである。
【０００８】
用紙押え９は印字ヘッド６の下方に配置された板部材で、その前部下面にはゴム板等の弾性材からなる押え部１０が固定されている。また、印字ヘッド６の先端６ａが移動する部分には開口部９ａが形成され、この開口部９ａから露出する用紙８に印字できるように形成されるとともに、左右両端部にはそれぞれ起立縁１１が形成されている。この用紙押え９の後端はプリンタの後部に位置するとともに、この用紙押え９の起立縁１１の略中央はフレーム１２に軸１３で回動自在に軸支され、用紙押え９が上下動するように設けられている。そして、用紙押え９の後端にはバネ１４の下端が取着され、このバネ１４の上端はフレーム１２に形成されたピン１５にかけられて、用紙押え９の後端を常に上方に引き上げ、押え部１０を印字台７に押しつけるように付勢している（図３、図４参照）。
【０００９】
印字ヘッド６を移動するモータ４の回転を減速する複数の減速歯車からなる減速機構には、押え部１０を付勢手段Ａに抗して上動させる駆動手段Ａが連係している。
【００１０】
この駆動手段Ａは減速機構に連係する出力軸１６に固定された歯車１７に噛合するかさ歯車１８と、このかさ歯車１８の回転軸１９の両端近傍に固定された２つのカム２０とで構成されている。
【００１１】
上記カム２０は円板の周面の一部に突出部２１を形成してなるもので印字ヘッド６が待機位置にある時は図５（ａ）に示すように突出部２１が起立縁１１に設けられたローラ２２に係合し、用紙押え９の後端をバネ１４に抗して押し下げ、軸１３を中心に回動させて押え部１０を上動させ、モータ４が回転して印字ヘッド６が移動を始めると、モータ４の回転に連動してかさ歯車１８を介してカム２０が回転し、図５（ｂ）に示すようにカム２０の突出部２１によるローラ２２の押し下げを解除するので、用紙押え９はバネ１４に付勢されて後端が上動し、軸１３を中心に回動して前端が下動し押え部１０が印字台７に押しつけられるように設けられている。
【００１２】
上記構成の用紙押え装置によれば、プリンタに電源を入れると図示しない制御部が初期化を行い、モータ４を回転させて印字ヘッド６を待機位置に移動させる。
印字ヘッド６が待機位置に戻る時、減速機構に連動してかさ歯車１８が回転し、このかさ歯車１８の回転軸１９に固定されたカム２０が回転する。印字ヘッド６が待機位置の近傍まで移動すると、カム２０の突出部２１はローラ２２に係合する位置に移動し、このローラ２２をバネ１４に抗して押し下げるので用紙押え９は軸１３を中心に回動し、押え部１０が上動する。印字ヘッド６が待機位置に到着したことを適宜手段で検出して制御部はモータ４の回転を止めるのでカム２０の回転も止まり、押え部１０は上動した状態で停止する。
【００１３】
用紙押え９が上がった状態で停止しているので用紙８を用紙押え９（押え部１０）に邪魔されることなく印字台７上にセットすることができる。キーボード１から金額を入力し、入力した金額をディスプレイ２で確認した後、発行キー３を押すと制御部はモータ４を回転させる。モータ４が回転すると減速機構を介して印字ヘッド６が移動を開始する。印字ヘッド６の移動に連動してカム２０が回転し、カム２０の突出部２１がローラ２２の押し下げを解除するので用紙押え９の後端はバネ１４に付勢されて上動するので用紙押え９は軸１３を中心に回動し、用紙押え９が下動して用紙８を印字台７に押し付けて位置がズレないように固定する。
【００１４】
印字ヘッド６はモータ４の回転にしたがって移動しながら制御部からのドット駆動信号にしたがって文字の上半分のドットピンを打ち出しながら左端まで移動する。左端まで移動すると制御部は印字ヘッド６を前方に移動しモータ４を逆転させて印字ヘッド６を待機位置の方向に移動させながら文字の下半分のドットピンを打ち出す。印字ヘッド６が左端まで移動した時、カム２０は１８０度正回転しているがモータ４の逆回転に連動して逆回転する。
【００１５】
なお、このカム２０の回転角度は歯車１７とかさ歯車１８のギヤ比によって決まるが１８０度に限定されるものではなく、印字ヘッド６が左端まで移動する間にカム２０の突出部２１がローラ２２に係合するまで回転しなければよい。
【００１６】
印字ヘッド６が待機位置近傍まで移動してくるとカム２０の突出部２１がローラ２２に係合し、バネ１４に抗してこれを押し下げるので、用紙押え９は軸１３を中心に回動し、この用紙押え９の前部（押え部１０）が上動して用紙８の押えつけを解除する。印字ヘッド６が待機位置に戻るとモータ４が停止し、カム２０の回転も止まるので用紙押え９の前部は上がり、押え部１０は用紙８の押しつけを解除した状態で停止しているので、印字済の用紙８は印字台７上から取り出すことができる。
【００１７】
上述のように、印字ヘッド６がドットピンを打ち出しながら左右方向に一往復移動する際に、用紙押え９はバネ１４に付勢されて下動し、用紙８を印字台７に固定しているので印字ヘッド６やドットピンが用紙ａを擦りながら移動しても用紙ａはズレることはなく印字ズレが発生することはない。特に、１つの文字を上下半分に分割し往路で上半分、復路で下半分を印字するプリンタにとっては用紙のズレは印字品質にとって致命的であるが、印字中の用紙ａのズレを防止できるので、高品位の印字を実現することができる。
【図面の簡単な説明】
【図１】本発明に係る用紙押え装置を適用したプリンタの斜視図
【図２】上記プリンタの要部を示す平面図
【図３】上記プリンタの要部を示す側面図
【図４】上記プリンタの要部を示す正面図
【図５】（ａ）（ｂ）は用紙押えの作動態様を示す動作説明図
【符号の説明】
４  モータ
５  ベルト
６  印字ヘッド
７  印字台
８  用紙
９  用紙押え
１０  押え部
Ａ  駆動手段
【図１】
0003595074.tif 000002
【図２】
0003595074.tif 000003
【図３】
0003595074.tif 000004
【図４】
0003595074.tif 000005
【図５】
0003595074.tif 000006